(57)【要約】【課題】  スプーンとしての掬い具として利用できるとともにドレッシング等の攪拌具としても利用できる食卓具を提供する【解決手段】  掬い部と、該掬い部に設けられた柄と、前記掬い部の対向する縁部に架設された攪拌部材とより構成される。【選択図】    図１
2007090010.tif 000002
【特許請求の範囲】
【請求項１】
液体、固形物等を掬い取れる掬い部と、該掬い部に設けられた柄と、前記掬い部の縁部間に架設された攪拌部材とよりなり、前記攪拌部材はドレッシングや調味料含有液状体等の混合物内にて可動させることで攪拌作用を施すものであることを特徴とする食卓具。
【請求項２】
攪拌部材に攪拌及び空気混合を促進するための攪拌補助機構を設けたものであることを特徴とする請求項１記載の食卓具。
【請求項３】
攪拌補助機構がアルファベットや模様等の任意の形象形状となったものであることを特徴とする請求項１又は２記載の食卓具。
【請求項４】
攪拌部材と掬い部の隙間に指あるいはスポンジや布等の洗浄具を挿入して洗浄可能となった形状よりなるものであることを特徴とする請求項１、２又は３記載の食卓具。
【請求項５】
攪拌部材と掬い部を着脱可能に固定するための着脱機構を具備することを特徴とする請求項１、２、３又は４記載の食卓具。
【発明の詳細な説明】
【技術分野】
【０００１】  本発明は、スプーンとしての掬い具として利用できるとともにドレッシング等の攪拌具としても利用できる食卓具に関するものである。
【背景技術】
【０００２】  従来、ドレッシングや混合料理、混合調味料等の攪拌具として複数の硬質ワイヤ材を組み合わせたものがあった。  料理やドレッシングを掬うものとしては、柄に湾曲形状の掬い部を有するスプーンがあった。
【発明の開示】
【発明が解決しようとする課題】
【０００３】  そのために、次のような問題があった。  攪拌と掬い作業をする場合において、二つの調理具や食卓具が必要となっていた。スプーンで攪拌も可能であるが、均等に攪拌することは極めて困難であった。  混合物は、重量比の異なる材料からなるため、攪拌後時間が経過するに従い分離や材料の移動が発生し、もっとも好ましい状態で利用したり、食することが困難であり、利用の度に味が異なる状況となっていた。  本発明は以上の欠点を解決するものである。
【課題を解決するための手段】
【０００４】  液体、固形物等を掬い取れる掬い部と、該掬い部に設けられた柄と、前記掬い部の対向する縁部に架設された攪拌部材とより構成される。【０００５】  攪拌部材に攪拌及び空気混合を促進するための攪拌補助機構を設けたものであることを特徴とする。【０００６】  攪拌補助機構がアルファベットや模様等の任意の形象形状となったものであることを特徴とする。【０００７】  攪拌部材と掬い部の隙間に指あるいはスポンジや布等の洗浄具を挿入して洗浄可能となった形状よりなるものであることを特徴とする。【０００８】  攪拌部材と掬い部を着脱可能に固定するための着脱機構を具備することを特徴とする。
【発明の効果】
【０００９】  本発明は、スプーンの機構と混合物の攪拌具の機構をあわせもつことにより、一つで二つの機能を実現させることができる。これにより、分離式ドレッシングを食卓で攪拌し、そのまま混合状態のよい状態で掬ったり、注ぐことでより新鮮かつおいしい料理とすることができる。  また、攪拌補助機構を設けることでより少ない作業で効率的に攪拌できるとともに、細かな攪拌が可能となった。この際、図７に示すように掬い部の面積が広く湾曲状にあたる面と、細かく分離するように攪拌する攪拌補助機構の組み合わせにより、従来の攪拌具の単純な攪拌作用ではなく、操作方向を変えることで様々な攪拌作用を得ることが可能となった。  攪拌補助機構がアルファベットや模様等の任意の形象形状となったものである場合、高機能を保持する状態で装飾性を高めることができる。また、イニシャルにしたり、形状を異なるものにすることにより、個人所有を明確にすることができる。  攪拌部材と掬い部の隙間に指あるいはスポンジや布等の洗浄具を挿入して洗浄可能となった形状にすることにより、使用後の汚れや付着物を簡単に洗浄することにより衛生的に保管することができる。  攪拌部材と掬い部を着脱可能に固定するための着脱機構を具備することにより、より確実に洗浄することができる。また、状況によっては攪拌部材を外して、スプーン単体として利用することができる。
【発明を実施するための最良の形態】
【００１０】  以下、本発明の第一実施の形態について図１から図７を用いて説明する。  図１は本発明の正面図、図２は本発明の背面図、図３は本発明の右側面図、図４は本発明の横からみた平面図、図５は本発明の横からみた底面図、図６は本発明のＢ−Ｂ断面図、図７は本発明の使用時におけるＡ−Ａ端面図である。  本発明は湾曲形状に形成された掬い部１と、該掬い部１の周縁部の一部から延設された柄と、前記掬い部１の周縁部間に架設された攪拌部材３とより構成される。  図における事例においては、掬い部１と柄２は一体成型されたものであり、その形状は飲食用、サーバー用等に利用できる任意形状となっている。  攪拌部材３は柄２の延長方向で、掬い部１の周縁の対向する位置で取り付けられたものである。この攪拌部材３に関しては一体成型されたものであってもよいし、掬い部１に対して両端部を溶接されたものであってもよい。  攪拌部材３の形状に関して説明する。図示する事例においては細長い平板状で、中間位置付近が頂点となるように若干アーチ状となっている。この際、攪拌部材３と掬い部１が形成する空間部は、指やスポンジ、布等の洗浄具が挿入可能となることが望ましい。  攪拌部材３の形状はこれに限定されるものではなく、攪拌効果を向上させるものであれば、厚さや角度は上記事例に限定されるものではない。  また、図示していないが、中間に操作方向において攪拌効果を向上させるような貫通孔や突起体を設けることも可能である。  本発明は以上の構成よりなる。  以下、その使い方に関して説明する。  飲食用スプーンやサーバー用スプーンとして利用するときは、通常の利用方法により使用する。  ドレッシング７や混合物を攪拌するときは、図７に示すように操作方向８に対して掬い部１の開口部を平行にし、操作において掬い部１と攪拌部材３が直接当たるようにする。これにより攪拌部材３は混合物を細かく分離する。  また、掬い部１の外面に当たった混合物はＡに示すように掬い部外面に沿って大きな面で分離され、操作方向の背面側外面部においてＢに示すように掬い部から離れる。また、掬い部内面にあたった混合物もＣに示すように分離される。  このように、各種分離作用により効率的な攪拌が可能となる。  また、目的や混合物により操作方向を変えることで、様々な攪拌効果を得ることができる。【００１１】  以下、本発明の第二実施の形態について図８乃至図１０を用いて説明する。  図８は本発明の第二実施形態の横からみた平面図、図９は本発明の第二実施形態のＡ−Ａ断面図、図１０は本発明の第二実施形態のＢ−Ｂ断面図である。  本発明において、柄２付近の掬い部１から攪拌部材３ａが設けられており、中間付近で延長方向に対して左右斜めに分岐した攪拌部材３ｂが一体に形成されており、攪拌部材３ｂの端部は対向する掬い部１の周縁付近に架設されたものである。この分岐した攪拌部３ｂが攪拌補助部材としての機能をなす。  本発明は以上の構成よりなる。  これを使用するときは前記事例と同様であるが、攪拌部材３ｂの分岐構造により同じ動作であっても攪拌部材３の先端部分である攪拌部材３ｂの攪拌作用と、柄側の攪拌部材３ａの作用が異なりより攪拌効果が向上する。また、本食卓具を立てたり角度を変えて使用する��とで、様々な攪拌作用が発生し、多様な攪拌作業をすることが可能となった。【００１２】  以下、本発明の第三実施の形態について図１１乃至図１３を用いて説明する。図１１は本発明の第三実施形態の横からみた平面図、図１２は本発明の第三実施形態の右側面図、図１３は本発明の第三実施形態の要部拡大断面図である。  本発明において攪拌部材３は、攪拌効果を向上させるとともに利用者の嗜好性にあわせた利用を得るために、複雑な分岐効果をもたらせるように攪拌部材３に文字の形象をもたせたものである。  本事例における攪拌部３は、図１１及び図１３に示すように左右に併設されたアーチ状の攪拌部材３ｃに、文字状の攪拌部材３ｄが一体に形成されている。この文字状の攪拌部材３は、その文字の形象により複雑な孔や凹凸を生み、これにより複雑な攪拌現象を起こし攪拌効率を向上させる。また、その文字に伝達したい意味のものとすることにより、イベントでの配布物や、プレゼントなどに利用することも可能となる。攪拌部材３ｄの形象に関しては、文字以外にもデザインや図形などであっても構わない。  本発明は以上の構成よりなる。  本発明を使用するときは、前記各事例と同様であるが、ここに形成する文字に関しては、「ＨＡＰＰＹ」「ＬＵＣＫＹ」等の通常縁起を担ぐものをはじめとし、イニシャルやキャラクター、家紋など攪拌効果を向上させる形状であればよい。【００１３】  以下、本発明の第四実施の形態について図１４乃至図１８を用いて説明する。  図１４は本発明の第四実施形態の側面分解図、図１５は本発明の第四実施形態の分解図、図１６は本発明の第四実施形態の横からみた平面図、図１７は本発明の第四実施形態の説明図、図１８は本発明の第四実施形態の分解図である。  本発明においては、攪拌部材３と掬い部１が分離できるようになったものである。  攪拌部材３の柄側取り付け端部付近には左右にそれぞれ突出した軸４が設けられている。また、攪拌部材３の多端側は図１４に示すように、前方に突出して下方に屈曲した形状のフック部５となっている。攪拌部材３は若干強めの力で掬い部１の先端に着脱する可撓性はあるが、使用においては外れない剛性を有するものである。  また、掬い部１２の柄側には左右に軸受け６が設けられている。この軸受け６は図１４に示すように柄側に切り欠きを有するリング状となったものである。この切り欠きは前記攪拌部材３の軸４が挿入できる大きさとなっている。  本発明は以上の構成よりなる。  これを利用するときは、左右の軸４をそれぞれ軸受け６の切り欠き部を通して装着する。その状態で攪拌部材３のフック部５を掬い部１の先端に押し付ける。この際、攪拌部材３が撓み掬い部１に固定される。  この状態で、前記各事例と同様に利用する。  使用後、これを洗うときは、フック部５を上方へ若干の力を加えて押し上げる。これにより攪拌部材３が撓み攪拌部材３の先端がはずれる。  この状態でフック部５を持ち上げると、図１７に示すように軸４と軸受け６により回動する。その状態で全体を洗浄してもよいし、図１８に示すように軸受け６の切り欠きから軸をはずして個別に洗浄する。  また、利用目的によって攪拌部材を必要としないスプーンとして使用したい場合は、この攪拌部材３を外した状態で単体として使用することもできる。  尚、着脱機構や回動機構については、上記事例に示す技術に限定されるものではなく、従来考えられる嵌合機構は兆番機構など、本発明の目的を達成するものであればよい。
【図面の簡単な説明】
【００１４】
【図１】本発明の正面図
【図２】本発明の背面図
【図３】本発明の右側面図
【図４】本発明の横からみた平面図
【図５】本発明の横からみた底面図
【図６】本発明のＢ−Ｂ断面図
【図７】本発明の使用時におけるＡ−Ａ端面図
【図８】本発明の第二実施形態の横からみた平面図
【図９】本発明の第二実施形態のＡ−Ａ断面図
【図１０】本発明の第二実施形態のＢ−Ｂ断面図
【図１１】本発明の第三実施形態の横からみた平面図
【図１２】本発明の第三実施形態の右側面図
【図１３】本発明の第三実施形態の要部拡大断面図
【図１４】本発明の第四実施形態の側面分解図
【図１５】本発明の第四実施形態の分解図
【図１６】本発明の第四実施形態の横からみた平面図
【図１７】本発明の第四実施形態の説明図
【図１８】本発明の第四実施形態の分解図
【符号の説明】
【００１５】１  掬い部、２  柄、３；３ａ；３ｂ；３ｃ；３ｄ  攪拌部材、４  軸、５  フック部、６  軸受け、７  ドレッシング、８  操作方向
【図１】
2007090010.tif 000003
【図２】
2007090010.tif 000004
【図３】
2007090010.tif 000005
【図４】
2007090010.tif 000006
【図５】
2007090010.tif 000007
【図６】
2007090010.tif 000008
【図７】
2007090010.tif 000009
【図８】
2007090010.tif 000010
【図９】
2007090010.tif 000011
【図１０】
2007090010.tif 000012
【図１１】
2007090010.tif 000013
【図１２】
2007090010.tif 000014
【図１３】
2007090010.tif 000015
【図１４】
2007090010.tif 000016
【図１５】
2007090010.tif 000017
【図１６】
2007090010.tif 000018
【図１７】
2007090010.tif 000019
【図１８】
2007090010.tif 000020